【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
a)  適用点を備えた膜、試料捕捉ゾーンおよびコントロール捕捉ゾーンを備えた固相装置を提供する工程、試料捕捉ゾーンがその上に吸着された試料捕捉試薬を有し、コントロール捕捉ゾーンがその上に吸着されたコントロール捕捉試薬を有し、試料捕捉ゾーンおよびコントロール捕捉ゾーンが適用点からおよそ等間隔である、
b)  解析物結合粒子の群を含む試料回収装置を提供する工程、解析物結合粒子が解析物結合剤でコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより、液体試料を形成し、次いで液体試料を試料回収装置に導入することのいずれかにより、接触解析物結合粒子を含む緩衝化された混合液体試料を作製する工程、
d)  緩衝化された混合液体試料を膜の適用点に適用する工程、
e)  液体が、毛管作用により、細片および試料捕捉ゾーンを通って接触解析物結合粒子を移動させ、それにより接触解析物結合粒子を試料捕捉試薬に結合させ、ならびにそれと同時に試料中の液体が、毛管作用により、細片およびコントロール捕捉ゾーンを通って接触解析物結合粒子を移動させ、それにより接触解析物結合粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の接触解析物結合粒子を移動させることが可能な条件下で膜をさらに維持する工程、
g)  試料捕捉ゾーン中の接触解析物結合粒子の量およびコントロール捕捉ゾーン中の接触解析物結合粒子の量を測定する工程、
h)  試料捕捉ゾーン中の解析物結合粒子の量およびコントロール捕捉ゾーン中の解析物結合粒子の量から補正解析物結合粒子量を測定する工程
を含み、液体試料中の目的の解析物の量が補正解析物結合粒子量に直接関連する、液体試料中の目的の解析物の量を定量的に測定する方法。
【請求項２】
補正解析物結合粒子量が、試料捕捉ゾーン中の解析物結合粒子の量のコントロール捕捉ゾーン中の解析物結合粒子の量に対する比率で測定される、請求項１記載の方法。
【請求項３】
補正解析物結合粒子量が、試料捕捉ゾーン中の解析物結合粒子の量の、コントロール捕捉ゾーン中の解析物結合粒子の量および試料捕捉ゾーン中の解析物結合粒子の量の合計に対する比率で測定される、請求項１記載の方法。
【請求項４】
解析物および解析物結合剤が、結合ペアの構成成分であり、結合ペアの一構成成分が、胞子、タンパク質、ホルモン、酵素、糖タンパク質、ペプチド、小分子、多糖、レクチン、抗体、抗体断片、核酸、薬物、薬物コンジュゲート、毒素、ウイルス、ウイルス粒子、細胞壁の一部、ハプテンおよびレセプターからなる群より選択される、請求項１記載の方法。
【請求項５】
解析物結合剤が、抗体、抗体断片、ハプテン、薬物コンジュゲートおよびレセプターからなる群より選択される、請求項１記載の方法。
【請求項６】
解析物結合剤が抗体である、請求項５記載の方法。
【請求項７】
試料捕捉試薬が、解析物結合粒子上の抗体と同一のエピトープに対する抗体、および解析物結合粒子上の抗体とは異なるエピトープに対する抗体からなる群より選択される抗体である、請求項６記載の方法。
【請求項８】
工程 (f)において試料中の液体が、毛管作用により、試料捕捉ゾーンまたはコントロール捕捉ゾーンを越えて試料捕捉試薬またはコントロール捕捉試薬と結合していない任意の接触解析物結合粒子を心材パッドに移動させる、請求項１記載の方法。
【請求項９】
解析物結合粒子の群が、蒸発乾燥、真空乾燥または凍結乾燥される、請求項１記載の方法。
【請求項１０】
a)  適用点を備えた膜、試料捕捉ゾーンおよびコントロール捕捉ゾーンを備えた固相装置を提供する工程、試料捕捉ゾーンがその上に吸着された試料捕捉試薬を有し、コントロール捕捉ゾーンがその上に吸着されたコントロール捕捉試薬を有し、試料捕捉ゾーンおよびコントロール捕捉ゾーンが適用点からおよそ等間隔である、
b)  解析物コーティング粒子の群を含む試料回収装置を提供する工程、解析物コーティング粒子が解析物または解析物のアナログでコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、解析物コーティング粒子を含む緩衝化された混合液体試料を作製する工程、
d)  緩衝化された混合液体試料を膜の適用点に適用する工程、
e)  液体が、毛管作用により、細片および試料捕捉ゾーンを通って解析物コーティング粒子を移動させ、それにより解析物コーティング粒子を試料捕捉試薬に結合させ、ならびにそれと同時に試料中の液体が、毛管作用により、細片およびコントロール捕捉ゾーンを通って解析物コーティング粒子を移動させ、それにより解析物コーティング粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の解析物コーティング粒子を移動させることが可能な条件下で膜をさらに維持する工程、
g)  試料捕捉ゾーン中の解析物コーティング粒子の量およびコントロール捕捉ゾーン中の解析物コーティング粒子の量を測定する工程、
h)  試料捕捉ゾーン中の解析物コーティング粒子の量およびコントロール捕捉ゾーン中の解析物コーティング粒子の量から補正解析物コーティング粒子量を測定する工程
を含み、液体試料中の目的の解析物の量が補正解析物コーティング粒子量に反比例的に関連する、液体試料中の目的の解析物の量を定量的に測定する方法。
【請求項１１】
補正解析物コーティング粒子量が、試料捕捉ゾーン中の解析物コーティング粒子の量のコントロール捕捉ゾーン中の解析物コーティング粒子の量に対する比率で測定される、請求項１０記載の方法。
【請求項１２】
補正解析物コーティング粒子量が、試料捕捉ゾーン中の解析物コーティング粒子の量の、コントロール捕捉ゾーン中の解析物コーティング粒子の量および試料捕捉ゾーン中の解析物コーティング粒子の量の合計に対する比率で測定される、請求項１０記載の方法。
【請求項１３】
解析物および試料捕捉試薬が、結合ペアの構成成分であり、結合ペアの一構成成分が、胞子、タンパク質、ホルモン、酵素、糖タンパク質、ペプチド、小分子、多糖、レクチン、抗体、抗体断片、核酸、薬物、薬物コンジュゲート、毒素、ウイルス、ウイルス粒子、細胞壁の一部、ハプテンおよびレセプターからなる群より選択される、請求項１０記載の方法。
【請求項１４】
試料捕捉試薬が、抗体、抗体断片、ハプテン、薬物コンジュゲートおよびレセプターからなる群より選択される、請求項１０記載の方法。
【請求項１５】
試料捕捉試薬が抗体である、請求項１４記載の方法。
【請求項１６】
コントロール捕捉試薬が抗免疫グロブリン抗体である、請求項５または１４記載の方法。
【請求項１７】
液体試料が、全血、血漿、血清、尿、脳脊髄液、唾液、精液、硝子体液および滑液からなる群より選択される、請求項１または１０記載の方法。
【請求項１８】
液体試料が懸濁固体を含む、請求項１または１０記載の方法。
【請求項１９】
固体が、粒状試料、粉末試料、土壌試料および胞子からなる群より選択される、請求項１８記載の方法。
【請求項２０】
液体試料が、水、地下水、汚水および廃水からなる群より選択される、請求項１または１０記載の方法。
【請求項２１】
工程 (d)において混合液体試料が適用パッドを通じて適用点に適用される、請求項１または１０記載の方法。
【請求項２２】
工程 (f)において試料中の液体が、毛管作用により、試料捕捉ゾーンまたはコントロール捕捉ゾーンを越えて試料捕捉試薬またはコントロール捕捉試薬と結合していない任意の解析物コーティング粒子を心材パッドに移動させる、請求項１０記載の方法。
【請求項２３】
試料回収装置が、ピペットおよびピペットチップからなる群より選択される、請求項１または１０記載の方法。
【請求項２４】
解析物コーティング粒子の群が、蒸発乾燥、真空乾燥または凍結乾燥される、請求項１０記載の方法。
【請求項２５】
a)  適用点を備えた膜、少なくとも２つの試料捕捉ゾーン、およびコントロール捕捉ゾーンを備えた固相装置を提供する工程、第一の試料捕捉ゾーンがその上に吸着された第一の試料捕捉試薬を有し、第二の試料捕捉ゾーンがその上に吸着された第二の試料捕捉試薬を有し、コントロール捕捉ゾーンがその上に吸着されたコントロール捕捉試薬を有し、各試料捕捉ゾーンおよびコントロール捕捉ゾーンが適用点からおよそ等間隔である、
b)  第一の解析物結合粒子の群および第二の解析物結合粒子の群を含む試料回収装置を提供する工程、第一の解析物結合粒子が第一の解析物結合剤でコーティングされ、第二の解析物結合粒子が第二の解析物結合剤でコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、第一の接触解析物結合粒子および第二の接触解析物結合粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って第一の接触解析物結合粒子および第二の接触解析物結合粒子を移動させ、それにより第一の試料捕捉ゾーンにおいて第一の接触解析物結合粒子を第一の試料捕捉試薬に結合させ、第二の試料捕捉ゾーンにおいて第二の接触解析物結合粒子を第二の試料捕捉試薬に結合させ、ならびにそれと同時に試料中の液体が、毛管作用により、細片およびコントロール捕捉ゾーンを通って第一の接触解析物結合粒子および第二の接触解析物結合粒子を移動させ、それにより第一の接触解析物結合粒子および第二の接触解析物結合粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の第一の接触解析物結合粒子および第二の接触解析物結合粒子を移動させることが可能な条件下で膜をさらに維持する工程、
g)  第一の試料捕捉ゾーン中の第一の接触解析物結合粒子の量、第二の試料捕捉ゾーン中の第二の接触解析物結合粒子の量ならびにコントロール捕捉ゾーン中の第一の接触解析物結合粒子および第二の接触解析物結合粒子の量を測定する工程、
h)  第一の試料捕捉ゾーン中の第一の接触解析物結合粒子の量およびコントロール捕捉ゾーン中の第一の接触解析物結合粒子および第二の接触解析物結合粒子の量から第一の補正解析物結合粒子量、ならびに第二の試料捕捉ゾーン中の第二の接触解析物結合粒子の量およびコントロール捕捉ゾーン中の第一の接触解析物結合粒子および第二の接触解析物結合粒子の量から第二の補正解析物結合粒子量を測定する工程
を含み、液体試料中の第一の目的の解析物の量が第一の補正解析物結合粒子量に直接関連し、液体試料中の第二の目的の解析物の量が第二の補正解析物結合粒子量に直接関連する、液体試料中の少なくとも２種類の目的の解析物の量を定量的に測定する方法。
【請求項２６】
１種以上の目的のさらなる解析物の量を定量的に測定する工程をさらに含み、膜がそれぞれの目的のさらなる解析物についてさらなる試料捕捉ゾーンを含み、それぞれのさらなる試料捕捉ゾーンがその上に吸着された試料捕捉試薬を有し、試料回収装置がそれぞれの目的のさらなる解析物についてさらなる解析物結合粒子の群をさらに含み、膜が、毛管作用により、液体が細片およびそれぞれの試料捕捉ゾーンを通って、さらなる接触解析物結合粒子を移動させることが可能になる条件下で維持され、それによりそれぞれのさらなる試料捕捉ゾーンにおけるさらなる接触解析物結合粒子をさらなる試料捕捉試薬に結合させ、補正解析物結合粒子量が、それぞれの目的の解析物について、それぞれの対応するさらなる試料捕捉ゾーンにおけるさらなる接触解析物結合粒子の量およびコントロール捕捉ゾーンにおける全ての解析物結合粒子の量から測定され、液体試料中のそれぞれの目的の解析物の量が対応する補正解析物結合粒子量に直接関連する、請求項２５記載の方法。
【請求項２７】
a)  適用点を備えた膜、少なくとも２つの試料捕捉ゾーン、およびコントロール捕捉ゾーンを備えた固相装置を提供する工程、第一の試料捕捉ゾーンがその上に吸着された第一の試料捕捉試薬を有し、第二の試料捕捉ゾーンがその上に吸着された第二の試料捕捉試薬を有し、コントロール捕捉ゾーンがその上に吸着されたコントロール捕捉試薬を有し、各試料捕捉ゾーンおよびコントロール捕捉ゾーンが適用点からおよそ等間隔である、
b)  解析物結合粒子の群を含む試料回収装置を提供する工程、解析物結合粒子が第一の解析物結合剤および第二の解析物結合剤でコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、接触解析物結合粒子を含む緩衝化された混合液体試料を作製する工程、
d)  緩衝化された混合液体試料を膜の適用点に適用する工程、
e)  液体が、毛管作用により、細片および各試料捕捉ゾーンを通って接触解析物結合粒子を移動させ、それにより第一の試料捕捉ゾーンにおいて接触解析物結合粒子を第一の試料捕捉試薬に結合させ、第二の試料捕捉ゾーンにおいて接触解析物結合粒子を第二の試料捕捉試薬に結合させ、ならびにそれと同時に試料中の液体が、毛管作用により、細片およびコントロール捕捉ゾーンを通って接触解析物結合粒子を移動させ、それにより接触解析物結合粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の接触解析物結合粒子を移動させることが可能な条件下で膜をさらに維持する工程、
g)  第一の試料捕捉ゾーン中の接触解析物結合粒子の量、第二の試料捕捉ゾーン中の接触解析物結合粒子の量およびコントロール捕捉ゾーン中の接触解析物結合粒子の量を測定する工程、
h)  第一の試料捕捉ゾーン中の接触解析物結合粒子の量およびコントロール捕捉ゾーン中の接触解析物結合粒子の量から第一の補正解析物結合粒子量、ならびに第二の試料捕捉ゾーン中の接触解析物結合粒子の量およびコントロール捕捉ゾーン中の接触解析物結合粒子の量から第二の補正解析物結合粒子量を測定する工程
を含み、液体試料中の第一の目的の解析物の量が第一の補正解析物結合粒子量に直接関連し、液体試料中の第二の目的の解析物の量が第二の補正解析物結合粒子量に直接関連する、液体試料中の少なくとも２種類の目的の解析物の量を定量的に測定する方法。
【請求項２８】
１種以上の目的のさらなる解析物の量を定量的に測定する工程をさらに含み、膜がそれぞれの目的のさらなる解析物についてさらなる試料捕捉ゾーンを含み、それぞれのさらなる試料捕捉ゾーンがその上に吸着された試料捕捉試薬を有し、試料回収装置中の解析物結合粒子がそれぞれの目的のさらなる解析物について解析物結合粒子上でコーティングされたさらなる解析物結合剤をさらに含み、膜が、毛管作用により、液体が細片およびそれぞれの試料捕捉ゾーンを通って、さらなる接触解析物結合粒子を移動させることが可能になる条件下で維持され、それによりそれぞれのさらなる試料捕捉ゾーンにおける接触解析物結合粒子をさらなる試料捕捉試薬に結合させ、補正解析物結合粒子量がそれぞれの目的の解析物について、それぞれの対応するさらなる試料捕捉ゾーンにおける接触解析物結合粒子の量およびコントロール捕捉ゾーンにおける接触解析物結合粒子の量から測定され、液体試料中のそれぞれの目的の解析物の量が対応する補正解析物結合粒子量に直接関連する、請求項２７記載の方法。
【請求項２９】
a)  適用点を備えた膜、少なくとも２つの試料捕捉ゾーン、およびコントロール捕捉ゾーンを備えた固相装置を提供する工程、第一の試料捕捉ゾーンがその上に吸着された第一の試料捕捉試薬を有し、第二の試料捕捉ゾーンがその上に吸着された第二の試料捕捉試薬を有し、コントロール捕捉ゾーンがその上に吸着されたコントロール捕捉試薬を有し、各試料捕捉ゾーンおよびコントロール捕捉ゾーンが適用点からおよそ等間隔である、
b)  第一の解析物コーティング粒子の群および第二の解析物コーティング粒子の群を含む試料回収装置を提供する工程、第一の解析物コーティング粒子が第一の解析物または第一の解析物のアナログでコーティングされ、第二の解析物コーティング粒子が第二の解析物または第二の解析物のアナログでコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、第一の解析物コーティング粒子および第二の解析物コーティング粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って第一の解析物コーティング粒子および第二の解析物コーティング粒子を移動させ、それにより第一の試料捕捉ゾーンにおいて第一の解析物コーティング粒子を第一の試料捕捉試薬に結合させ、第二の試料捕捉ゾーンにおいて第二の解析物コーティング粒子を第二の試料捕捉試薬に結合させ、ならびにそれと同時に試料中の液体が、毛管作用により、細片およびコントロール捕捉ゾーンを通って第一の解析物コーティング粒子および第二の解析物コーティング粒子を移動させ、それにより第一の解析物コーティング粒子および第二の解析物コーティング粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の第一の解析物コーティング粒子および第二の解析物コーティング粒子を移動させることが可能な条件下で膜をさらに維持する工程、
g)  第一の試料捕捉ゾーン中の第一の解析物コーティング粒子の量、第二の試料捕捉ゾーン中の第二の解析物コーティング粒子の量ならびにコントロール捕捉ゾーン中の第一の解析物コーティング粒子および第二の解析物コーティング粒子の量を測定する工程、
h)  第一の試料捕捉ゾーン中の第一の解析物コーティング粒子の量およびコントロール捕捉ゾーン中の第一の解析物コーティング粒子および第二の解析物コーティング粒子の量から第一の補正解析物コーティング粒子量、ならびに第二の試料捕捉ゾーン中の第二の解析物コーティング粒子の量およびコントロール捕捉ゾーン中の第一の解析物コーティング粒子および第二の解析物コーティング粒子の量から第二の補正解析物コーティング粒子量を測定する工程
を含み、液体試料中の第一の目的の解析物の量が第一の補正解析物コーティング粒子量に反比例的に関連し、液体試料中の第二の目的の解析物の量が第二の補正解析物コーティング粒子量に反比例的に関連する、液体試料中の少なくとも２種類の目的の解析物の量を定量的に測定する方法。
【請求項３０】
１種以上の目的のさらなる解析物の量を定量的に測定する工程をさらに含み、膜がそれぞれの目的のさらなる解析物についてさらなる試料捕捉ゾーンを含み、それぞれのさらなる試料捕捉ゾーンがその上に吸着された試料捕捉試薬を有し、試料回収装置がそれぞれの目的のさらなる解析物についてさらなる解析物コーティング粒子の群をさらに含み、膜が、毛管作用により、液体が細片およびそれぞれの試料捕捉ゾーンを通って、さらなる解析物コーティング粒子を移動させることが可能になる条件下で維持され、それによりそれぞれのさらなる試料捕捉ゾーンにおけるさらなる解析物コーティング粒子をさらなる試料捕捉試薬に結合させ、補正解析物結合粒子量がそれぞれの目的の解析物についてそれぞれの対応するさらなる試料捕捉ゾーンにおけるさらなる解析物コーティング粒子の量およびコントロール捕捉ゾーンにおける解析物コーティング粒子の量から測定され、液体試料中のそれぞれの目的の解析物の量が対応する補正解析物コーティング粒子量に直接関連する、請求項２９記載の方法。
【請求項３１】
a)  適用点を備えた膜、少なくとも２つの試料捕捉ゾーンおよびコントロール捕捉ゾーンを備えた固相装置を提供する工程、第一の試料捕捉ゾーンがその上に吸着された第一の試料捕捉試薬を有し、第二の試料捕捉ゾーンがその上に吸着された第二の試料捕捉試薬を有し、コントロール捕捉ゾーンがその上に吸着されたコントロール捕捉試薬を有し、各試料捕捉ゾーンおよびコントロール捕捉ゾーンが適用点からおよそ等間隔である、
b)  解析物コーティング粒子の群を含む試料回収装置を提供する工程、解析物コーティング粒子が第一の解析物または第一の解析物のアナログおよび第二の解析物または第二の解析物のアナログでコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、解析物コーティング粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って解析物コーティング粒子を移動させ、それにより第一の試料捕捉ゾーンにおいて解析物コーティング粒子を第一の試料捕捉試薬に結合させ、第二の試料捕捉ゾーンにおいて解析物コーティング粒子を第二の試料捕捉試薬に結合させ、ならびにそれと同時に試料中の液体が、毛管作用により、細片およびコントロール捕捉ゾーンを通って解析物コーティング粒子を移動させ、それにより解析物コーティング粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の解析物コーティング粒子を移動させることが可能な条件下で膜をさらに維持する工程、
g)  第一の試料捕捉ゾーン中の解析物コーティング粒子の量、第二の試料捕捉ゾーン中の解析物コーティング粒子の量およびコントロール捕捉ゾーン中の解析物コーティング粒子の量を測定する工程、
h)  第一の試料捕捉ゾーン中の解析物コーティング粒子の量およびコントロール捕捉ゾーン中の解析物コーティング粒子の量から第一の補正解析物コーティング粒子量、ならびに第二の試料捕捉ゾーン中の解析物コーティング粒子の量およびコントロール捕捉ゾーン中の解析物コーティング粒子の量から第二の補正解析物コーティング粒子量を測定する工程
を含み、液体試料中の第一の目的の解析物の量が第一の補正解析物コーティング粒子量に反比例的に関連し、液体試料中の第二の目的の解析物の量が第二の補正解析物コーティング粒子量に反比例的に関連する、液体試料中の少なくとも２種類の目的の解析物の量を定量的に測定する方法。
【請求項３２】
１種以上の目的のさらなる解析物の量を定量的に測定する工程をさらに含み、膜がそれぞれの目的のさらなる解析物についてさらなる試料捕捉ゾーンを含み、それぞれのさらなる試料捕捉ゾーンがその上に吸着された試料捕捉試薬を有し、解析物コーティング粒子の群が粒子上にコーティングされたそれぞれの目的のさらなる解析物をさらに含み、膜が、毛管作用により、液体が細片およびそれぞれの試料捕捉ゾーンを通って、さらなる接触解析物コーティング粒子を移動させ、それによりそれぞれのさらなる試料捕捉ゾーンにおけるさらなる接触解析物コーティング粒子をさらなる試料捕捉試薬に結合させることが可能になる条件下で維持され、補正解析物結合粒子量がそれぞれの目的の解析物についてそれぞれの対応するさらなる試料捕捉ゾーンにおけるさらなる解析物コーティング粒子の量およびコントロール捕捉ゾーンにおける解析物コーティング粒子の量から測定され、液体試料中のそれぞれの目的の解析物の量が対応する補正解析物コーティング粒子量に直接関連する、請求項３１記載の方法。
【請求項３３】
２種類の目的の解析物が同一の解析物である、請求項２５、２７、２９または３１記載の方法。
【請求項３４】
補正解析物コーティング粒子量が平均され、目的の解析物の量が平均補正解析物結合粒子量に関連する、請求項３３記載の方法。
【請求項３５】
a)  適用点を備えた膜、それぞれの目的の解析物についての試料捕捉ゾーン、およびコントロール捕捉ゾーンを備えた固相装置を提供する工程、それぞれの試料捕捉ゾーンがその上に吸着された目的の解析物の結合パートナーである試料捕捉試薬を有し、コントロール捕捉ゾーンがその上に吸着されたコントロール捕捉試薬を有し、それぞれの試料捕捉ゾーンおよびコントロール捕捉ゾーンが適用点からおよそ等間隔である、
b)  解析物結合粒子の群を含む試料回収装置を提供する工程、解析物結合粒子のそれぞれの群が、それぞれの目的の解析物について解析物結合粒子の１つの群が存在するように目的の解析物についての解析物結合剤でコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、接触解析物結合粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って接触解析物結合粒子を移動させ、それによりそれぞれの目的の解析物について試料捕捉ゾーン中で接触解析物結合粒子を試料捕捉試薬に結合させ、ならびにそれと同時に試料中の液体が、毛管作用により、細片およびコントロール捕捉ゾーンを通って接触解析物結合粒子を移動させ、それにより接触解析物結合粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の接触解析物結合粒子を移動させることが可能な条件下で膜をさらに維持する工程、
g)  それぞれの試料捕捉ゾーン中の接触解析物結合粒子の量およびコントロール捕捉ゾーン中の接触解析物結合粒子の量を測定する工程、
h)  対応する試料捕捉ゾーン中の解析物結合粒子の量およびコントロール捕捉ゾーン中の解析物結合粒子の量から、それぞれの目的の解析物について補正解析物結合粒子量を測定する工程
を含み、液体試料中の目的の解析物の量が補正解析物結合粒子量に直接関連する、液体試料中の多数の目的の解析物の量を定量的に測定する方法。
【請求項３６】
a)  適用点を備えた膜、それぞれの目的の解析物についての試料捕捉ゾーン、およびコントロール捕捉ゾーンを備えた固相装置を提供する工程、それぞれの試料捕捉ゾーンがその上に吸着された目的の解析物の結合パートナーである試料捕捉試薬を有し、コントロール捕捉ゾーンがその上に吸着されたコントロール捕捉試薬を有し、それぞれの試料捕捉ゾーンおよびコントロール捕捉ゾーンが適用点からおよそ等間隔である、
b)  解析物結合粒子の群を含む試料回収装置を提供する工程、解析物結合粒子の群が、解析物結合剤がそれぞれの目的の解析物について存在するようにそれぞれの目的の解析物についての解析物結合剤でコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、接触解析物結合粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って接触解析物結合粒子を移動させ、それによりそれぞれの目的の解析物について試料捕捉ゾーン中で接触解析物結合粒子を試料捕捉試薬に結合させ、ならびにそれと同時に試料中の液体が、毛管作用により、細片およびコントロール捕捉ゾーンを通って接触解析物結合粒子を移動させ、それにより接触解析物結合粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の接触解析物結合粒子を移動させることが可能な条件下で膜をさらに維持する工程、
g)  それぞれの試料捕捉ゾーン中の接触解析物結合粒子の量およびコントロール捕捉ゾーン中の接触解析物結合粒子の量を測定する工程、
h)  対応する試料捕捉ゾーン中の解析物結合粒子の量およびコントロール捕捉ゾーン中の解析物結合粒子の量から、それぞれの目的の解析物について補正解析物結合粒子量を測定する工程
を含み、液体試料中の目的の解析物の量が補正解析物結合粒子量に直接関連する、液体試料中の多数の目的の解析物の量を定量的に測定する方法。
【請求項３７】
a)  適用点を備えた膜、それぞれの目的の解析物についての試料捕捉ゾーン、およびコントロール捕捉ゾーンを備えた固相装置を提供する工程、それぞれの試料捕捉ゾーンがその上に吸着された目的の解析物の結合パートナーである試料捕捉試薬を有し、コントロール捕捉ゾーンがその上に吸着されたコントロール捕捉試薬を有し、それぞれの試料捕捉ゾーンおよびコントロール捕捉ゾーンが適用点からおよそ等間隔である、
b)  解析物コーティング粒子の群を含む試料回収装置を提供する工程、解析物コーティング粒子のそれぞれの群が、それぞれの目的の解析物について解析物コーティング粒子の１つの群が存在するように目的の解析物または目的の解析物のアナログでコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、解析物コーティング粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って解析物コーティング粒子を移動させ、それによりそれぞれの目的の解析物について試料捕捉ゾーン中で解析物コーティング粒子を試料捕捉試薬に結合させ、ならびにそれと同時に試料中の液体が、毛管作用により、細片およびコントロール捕捉ゾーンを通って解析物コーティング粒子を移動させ、それにより解析物コーティング粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の解析物コーティング粒子を移動させることが可能な条件下で膜をさらに維持する工程、
g)  それぞれの試料捕捉ゾーン中の解析物コーティング粒子の量およびコントロール捕捉ゾーン中の解析物コーティング粒子の量を測定する工程、
h)  対応する試料捕捉ゾーン中の解析物コーティング粒子の量およびコントロール捕捉ゾーン中の解析物コーティング粒子の量から、それぞれの目的の解析物について補正解析物コーティング粒子量を測定する工程
を含み、液体試料中の目的の解析物の量が補正解析物コーティング粒子量に反比例的に関連する、液体試料中の多数の目的の解析物の量を定量的に測定する方法。
【請求項３８】
a)  適用点を備えた膜、それぞれの目的の解析物についての試料捕捉ゾーン、およびコントロール捕捉ゾーンを備えた固相装置を提供する工程、それぞれの試料捕捉ゾーンがその上に吸着された目的の解析物の結合パートナーである試料捕捉試薬を有し、コントロール捕捉ゾーンがその上に吸着されたコントロール捕捉試薬を有し、それぞれの試料捕捉ゾーンおよびコントロール捕捉ゾーンが適用点からおよそ等間隔である、
b)  解析物コーティング粒子の群を含む試料回収装置を提供する工程、解析物コーティング粒子の群が、解析物または解析物のアナログがそれぞれの目的の解析物について存在するように、それぞれの目的の解析物について目的の解析物または目的の解析物のアナログでコーティングされる、
c)  i)液体試料を試料回収装置に導入し、混合液体試料を作製し、次いでバッファーを混合液体試料に導入すること、ii)バッファーを試料回収装置に導入し、次いで液体試料を導入すること、またはiii)固体をバッファーに導入することにより液体試料を形成し、次いで液体試料を試料回収装置に導入することのいずれかにより、解析物コーティング粒子を含む緩衝化された混合液体試料を作製する工程、
d)  緩衝化された混合液体試料を膜の適用点に適用する工程、
e)  液体が、毛管作用により、細片およびそれぞれの試料捕捉ゾーンを通って解析物コーティング粒子を移動させ、それによりそれぞれの目的の解析物について試料捕捉ゾーン中で解析物コーティング粒子を試料捕捉試薬に結合させ、ならびにそれと同時に試料中の液体が、毛管作用により、細片およびコントロール捕捉ゾーンを通って解析物コーティング粒子を移動させ、それにより解析物コーティング粒子をコントロール捕捉試薬に結合させることが可能な条件下で膜を維持する工程、
f)  試料中の液体が、毛管作用により、試料捕捉ゾーンまたはコントロール捕捉ゾーンを越えて試料捕捉試薬またはコントロール捕捉試薬と結合していない任意の解析物コーティング粒子を移動させることが可能な条件下で膜をさらに維持する工程、
g)  それぞれの試料捕捉ゾーン中の解析物コーティング粒子の量およびコントロール捕捉ゾーン中の解析物コーティング粒子の量を測定する工程、
h)  対応する試料捕捉ゾーン中の解析物コーティング粒子の量およびコントロール捕捉ゾーン中の解析物コーティング粒子の量から、それぞれの目的の解析物について補正解析物コーティング粒子量を測定する工程
を含み、液体試料中の目的の解析物の量が補正解析物コーティング粒子量に反比例的に関連する、液体試料中の多数の目的の解析物の量を定量的に測定する方法。
【請求項３９】
試料捕捉ゾーンおよびコントロール捕捉ゾーンが、適用点の周囲に放射状に散在している、請求項１、１０、２５、２７、２９、３１、３５、３６、３７または３８記載の方法。
【請求項４０】
試料捕捉ゾーンおよびコントロール捕捉ゾーンがそれぞれ隣接し、毛管作用による液体の流れの方向に沿って平行に配置される、請求項１、１０、２５、２７、２９、３１、３５、３６、３７または３８記載の方法。